(57)【要約】【課題】廃棄物層内の所望の位置の廃棄物のみを、該位置において可能な限り広範囲に且つ、廃棄物層内の状態を保持したまま、効率良く採取するサンプリング装置及びサンプリング方法を提供する。【解決手段】管状ケーシング１０と、先端の直径がケーシング１０の先端の開口部の直径より大きい押さえ管２０と、外径がケーシング１０の開口部の直径より小さい外管と筒状の内管とを有する二重管３１を備えたサンプリング管３０からなる装置を用い、ケーシング１０の開口部を押さえ管２０の先端で塞いだ状態でケーシング１０を廃棄物層内に貫入し、所定の深さにおいて、押さえ管２０をケーシング１０より引き出し、サンプリング管３０をケーシング１０に挿入して、ケーシング１０の開口部より二重管３１を廃棄物層内に貫入し、内管に廃棄物を導入し、サンプリング管３０をケーシング１０より引き出して二重管３１を分解することにより廃棄物を取り出す。【選択図】図１
2010025789.tif 000002
【特許請求の範囲】
【請求項１】
管状ケーシングと、押さえ管と、サンプリング管とを有し、
上記ケーシングの先端の開口部の直径がケーシングの内径よりも小さく、
上記押さえ管の先端が円柱状で、該円柱の直径が上記ケーシングの先端の開口部の直径よりも大きく、ケーシングの内径よりも小さく、
上記サンプリング管が、先端に、外径が上記ケーシング先端の開口部の直径よりも小さい管状の外管と、該外管の内径よりも外径が小さく、周方向において複数に分割された管状の内管とからなる二重管を有することを特徴とするサンプリング装置。
【請求項２】
ケーシングが、先端の開口部から後端に向かって直径が広がるテーパー領域を有し、上記押さえ管の先端の円柱の直径が、該テーパー領域の後端の直径よりも小さい請求項１に記載のサンプリング装置。
【請求項３】
上記テーパー領域の後端がケーシングの内径よりも小さく、上記テーパー領域の後端とケーシング内壁とをつなぐ部材がケーシング内に複数箇所取り付けられている請求項２に記載のサンプリング装置。
【請求項４】
請求項１〜３のいずれか１項に記載のサンプリング装置を用いた廃棄物層中の廃棄物のサンプリング方法であって、
中空の管状ケーシング内に押さえ管を挿入し、該押さえ管の先端によってケーシング先端の開口部を塞いだ状態で、該ケーシングを廃棄物層内に貫入し、
ケーシング先端が所定の深さに到達した時点で押さえ管をケーシングより引き出し、
ケーシング内にサンプリング管を挿入し、該サンプリング管の先端の二重管の少なくとも一部をケーシング先端の開口部より廃棄物層内に貫入して、内管内に廃棄物を導入し、
サンプリング管を引き上げて二重管を分解し、内管内の廃棄物を採取することを特徴とする廃棄物のサンプリング方法。
【発明の詳細な説明】
【技術分野】
【０００１】
本発明は、廃棄物処分場において安定化等の処理を施す際に廃棄物層内の廃棄物の内容や状態を把握するために、廃棄物層内の所望の深さの廃棄物をサンプリングするための装置及びサンプリング方法に関する。
【背景技術】
【０００２】
廃棄物を投棄して処分する処理場や埋立地では、有害なガスの大気中への拡散防止手段として、廃棄物層内に通気パイプを埋設し、該通気パイプを介して廃棄物層内から有害なガスを吸引除去したり、廃棄物層内の内部保有水を、廃棄物層内に通水パイプを埋設して汲み出すなどの処理が行われている。
【０００３】
このような廃棄物層内に通気パイプや通水パイプを埋設してガスや内部保有水を除去するためには、予め、廃棄物層内の廃棄物の内容や状態を把握する必要があり、そのためには、所定の深さの廃棄物をサンプリングする必要がある。
【０００４】
特許文献１には、同様なサンプリング装置として、土壌を内部に収納するカートリッジと、カートリッジを保持するアーム、及びカートリッジを保護するカバーとを備えた土壌の採取装置が開示されている。
【０００５】
【特許文献１】特開２００７−２８４９６１号公報
【発明の開示】
【発明が解決しようとする課題】
【０００６】
しかしながら、特許文献１の構成では、カートリッジを地盤中に押し込むと同時に、カートリッジ内に土壌が送り込まれるため、カートリッジが押し込まれた深さ分の土壌を採取しなければならず、効率が悪い。また、土壌であればカートリッジ内でそれほど圧縮されることがなく、土壌中の状態を保持して採取することができるが、廃棄物層の場合には土壌に比べて空隙が多いため、特許文献１の装置をそのまま用いると、カートリッジ内で廃棄物が圧縮されてしまうため、透水性等廃棄物層中の廃棄物の状態を正確に把握することができない。
【０００７】
本発明の課題は、廃棄物層内の所望の位置の廃棄物のみを、該位置において可能な限り広範囲に且つ、廃棄物層内の状態を保持したまま、効率良く採取するサンプリング装置及び方法を提供することにある。
【課題を解決するための手段】
【０００８】
本発明のサンプリング装置は、管状ケーシングと、押さえ管と、サンプリング管とを有し、
上記ケーシングの先端の開口部の直径がケーシングの内径よりも小さく、
上記押さえ管の先端が円柱状で、該円柱の直径が上記ケーシングの先端の開口部の直径よりも大きく、ケーシングの内径よりも小さく、
上記サンプリング管が、先端に、外径が上記ケーシング先端の開口部の直径よりも小さい管状の外管と、該外管の内径よりも外径が小さく、周方向において複数に分割された管状の内管とからなる二重管を有することを特徴とする。
【０００９】
本発明のサンプリング装置においては、
ケーシングが、先端の開口部から後端に向かって直径が広がるテーパー領域を有し、上記押さえ管の先端の円柱の直径が、該テーパー領域の後端の直径よりも小さいこと、
さらには、上記テーパー領域の後端がケーシングの内径よりも小さく、上記テーパー領域の後端とケーシング内壁とをつなぐ部材がケーシング内に複数箇所取り付けられていること、
を好ましい態様として含む。
【００１０】
本発明の廃棄物のサンプリング方法は、上記本発明のサンプリング装置を用いた廃棄物層中の廃棄物のサンプリング方法であって、
中空の管状ケーシング内に押さえ管を挿入し、該押さえ管の先端によってケーシング先端の開口部を塞いだ状態で、該ケーシングを廃棄物層内に貫入し、
ケーシング先端が所定の深さに到達した時点で押さえ管をケーシングより引き出し、
ケーシング内にサンプリング管を挿入し、該サンプリング管の先端の二重管の少なくとも一部をケーシング先端の開口部より廃棄物層内に貫入して、内管内に廃棄物を導入し、
サンプリング管を引き上げて二重管を分解し、内管内の廃棄物を採取することを特徴とする。
【発明の効果】
【００１１】
本発明によれば、ケーシングの廃棄物層内への貫入工程と、廃棄物のサンプリング工程とが別工程で、サンプリングする廃棄物がケーシングの貫入による影響を受けず、所望の深さの廃棄物のみをサンプリングすることができる。よって、廃棄物層内の状態を保持したまま効率良く廃棄物をサンプリングすることができ、正確に廃棄物の状態を把握することができる。また、貫入工程ではケーシングの貫入に最も適した装置構成、貫入条件を選択することができるため、従来よりも直径の大きいケーシングを用いて一度で広範囲のサンプリングを効率良く行うことができる。
【００１２】
よって、本発明によれば、廃棄物層内の複数の位置の廃棄物を効率良くサンプリングすることができ、従来よりも正確に且つ高精度に廃棄物層内の廃棄物の内容、状態を把握することが可能となる。
【発明を実施するための最良の形態】
【００１３】
以下に本発明のサンプリング装置とこれを用いた廃棄物のサンプリング方法について、好ましい実施形態を挙げて詳細に説明する。
【００１４】
図１は、本発明のサンプリング装置の好ましい一実施形態の構成を模式的に示す正面図である。
【００１５】
図２は、図１のケーシング１０の先端付近の拡大図であり、（ａ）は正面図、（ｂ）は側面図である。また、図３（ａ）は図１のケーシング１０の軸方向断面図であり、図２（ａ）のＡ−Ａ’断面に相当する。図３（ｂ）はケーシング１０を後端から見た図（上面図）である。
【００１６】
本発明にかかるケーシング１０は、管状の鋼管であり、図３に示すように、先端の開口部１４の直径がケーシング１０の内径よりも小さく形成されている。
【００１７】
また、ケーシング１０は、好ましくは廃棄物層内への貫入が容易になるように、図１〜図３に示すような、螺旋状の羽根１２を先端付近に設けておくことが好ましく、この場合の羽根１２の最大径は、ケーシング１０の外径の２〜３倍程度が好ましい。尚、本例においては、羽根１２はケーシング１０の外側を周方向に１周分の一重螺旋としているが、本発明は特にこれに限定されるものではなく、１周を超えて、或いは１周未満であっても、二重螺旋であっても良い。また、螺旋の取り付け角度も自由に選択することができる。
【００１８】
また、ケーシング１０の貫入を容易にするために、先端に掘削爪１３ａ，１３ｂを取り付けているが、該掘削爪１３ａ，１３ｂの形状、個数などは特に限定されない。また、なくても効率良く貫入できる場合には設けなくても良い。
【００１９】
本発明に係る押さえ管２０は、ケーシング１０の廃棄物層内への貫入工程において、ケーシング１０の先端の開口部１４を塞いで、ケーシング１０内に廃棄物が侵入しないようにするための部材であり、先端が円柱状である。尚、本例においては、先端に円柱状の部材２１を有し、後端は本体２２としているが、全体を円柱部材２１で構成しても構わない。尚、円柱部材２１と本体２２とは溶接等によって接続される。
【００２０】
図４は、押さえ管２０をケーシング１０内に挿入した状態の軸方向断面図である。図４に示すように、押さえ管２０の先端によってケーシング１０の先端の開口部１４が塞がれるように、円柱部材２１の直径は、開口部１４の直径よりも大きく、ケーシング１０の内径よりも小さくなるように形成される。
【００２１】
本例においては、ケーシング１０に、先端の開口部１４から後端に向かって直径が広がるテーパー領域１５を設けている。具体的には、ケーシング１０の先端に、リング状部材１７を取り付け、該リング状部材１７の内径（＝テーパー領域１５の直径）が一方から他方に向かってテーパー状に広がるように形成している。係るテーパー領域１５の後端は直径が該テーパー領域１５内で最大径となっているが、押さえ管２０の円柱部材２１の直径は該最大径よりも小さい。そのため、図４に示すように、円柱部材２１の先端はテーパー領域１５の途中に位置することになる。このように、円柱部材２１の直径よりも先端の直径が小で、後端の直径が大であるテーパー領域１５を設けることにより、円柱部材２１の直径を高精度に形成する必要がなく、また、押さえ管２０をケーシング１０内に挿入した際に円柱部材２１の先端が該テーパー領域１５の先端に向かって滑り込み、確実に開口部１４を塞ぐことができる。
【００２２】
本例においては、テーパー領域１５の後端がケーシング１０の内壁に到達するように形成しても良いが、本例の如く、該後端の直径をケーシング１０の内径よりも小さく形成し、該後端からケーシング１０の内壁とをつなぐ部材をケーシング１０内に複数箇所取り付けることにより、より確実に円柱部材２１の先端をテーパー領域１５に導くことができる。
【００２３】
本例においては、テーパー領域１５の後端とケーシング１０の内壁とをつなぐ部材として、直角三角形のテーパー板１６を４枚用いている。テーパー板１６は、直角を形成する一辺がケーシング１０の内壁に、他の一辺がテーパー領域１５を形成するリング状部材１７の後端面にそれぞれ沿うようにして取り付け、斜辺がテーパー領域１５の後端とケーシング１０の内壁とをつないでいる。
【００２４】
理想的には、テーパー板１６に相当する領域までリング状部材１７の後端を延長すれば良いが、その場合には、リング状部材１７の作製にコストがかかり、好ましくない。本例の如く、リング状部材１７とテーパー板１６とを組み合わせて用いることにより、リング状部材１７のテーパー領域１５とテーパー板１６の斜辺とで軸方向に緩やかで長いテーパー部分が形成され、円柱部材２１の先端を確実にテーパー領域１５へ導くことができる。
【００２５】
尚、本例ではテーパー板１６は周方向に４枚、等間隔で取り付けているが、枚数、間隔は特に限定されるものではない。上記の効果を鑑みれば、好ましくは３枚以上であり、取り付け時の作業性からは４枚が好ましいが、テーパー板１６の強度が不足している場合には、５枚以上取り付けてもかまわない。
【００２６】
図５に、本発明に用いられるサンプリング管３０の先端に取り付けられる二重管３１の好ましい例を示す。図５（ａ）は二重管３１の正面図であり、（ｂ）は外管３３を外した状態を示す正面図である。また、図６（ａ）は、該サンプリング管３０をケーシング１０に挿入し、ケーシング１０の先端の開口部１４から二重管３１を突出させた状態を示す軸方向の断面図であり、図６（ｂ）は（ａ）のＡ−Ａ’断面図である。
【００２７】
本発明に係る二重管３１は、図５，図６に示すように、筒状の外管３３と内管３４から構成され、外管３３の外径はケーシング１０の先端の開口部１４の直径よりも小さく、内管３４の外径は外管３３の内径よりも小さい。また、内管３４はサンプリングした廃棄物を取り出しやすいように、周方向において複数に分割されている。本例においては、二分割された半円筒状の部材３４ａ，３４ｂから構成されている。このように、内管３４を周方向において複数に分割することで、サンプリングした廃棄物を、サンプリングした状態のまま崩さずに取り出すことができる。分割数としては、本例のように分割後に半円筒状になるように二分割する形態が好ましく適用されるが、本発明はこれに限定されるものではなく、適宜三分割以上の形態も用いることができる。また、分割に当たっては均等に分割する必要もない。例えば、粘性の高い廃棄物をサンプリングする場合などは、周方向において先ず二分割した後、その一方をさらに二分割し、半円筒状の部材と、１／４円筒状の部材二つとを組み合わせた三分割の形態も好ましく適用される。
【００２８】
本例においては、半円筒部材３４ａと３４ｂの後端、外管３３の後端にそれぞれ重なり合う孔が設けられており、該孔にボルト３５を挿嵌することにより互いに一体化される。尚、本例においては、ボルト３５の長さがケーシング１０の先端の開口部１４の直径より大となるように形成されているため、係るボルト３５はケーシング１０の外には出ることができず、よって、二重管３１全体が廃棄物層内に貫入されることがない。二重管３１全体が完全に廃棄物層内に貫入された場合には、ケーシング１０内に引き戻した際に、二重管３１の後端やボルト３５に廃棄物が引っかかって該廃棄物がケーシング１０内に引き込まれる恐れがあり、また、ボルト３５に廃棄物がからんで二重管３１を分解する際に取り外しにくくなる恐れがあるが、本例においては、二重管３１は少なくともボルト３５の位置までしか開口部１４から突出することができない。尚、ボルト３５の長さが開口部１４の直径よりも短い場合には、ボルト３５が廃棄物層内に入り込まないように、二重管３１を廃棄物層内に押し込む深さを調整すればよい。
【００２９】
また、本例においては、内管３４の先端の外壁に、周方向に沿った突起３６ａ，３６ｂが形成されており、外管３３と内管３４との隙間を該突起３６ａ，３６ｂにより塞いで、該隙間に廃棄物が侵入しないように構成されている。また、内管３４の外壁には、複数箇所に鋼板３７ａ，３７ｂが取り付けられているが、これらは、内管３４の外壁と外管３３の内壁との隙間を塞いで、外管３３内での内管３４のぐらつきを防止するものである。特に、本例では、二重管３１の後端部でのみ、円筒部材３４ａと３４ｂとを一体化しており、先端側では固定していない。そのため、先端側では円筒部材３４ａと３４ｂとが離れ易くなっているため、先端付近に鋼板３７ａ，３７ｂを取り付けておくことで、円筒部材３４ａと３４ｂとを後端から先端まで良好に一体化しておくことができる。
【００３０】
尚、外管３３と支持管３２とは溶接等によって接続されている。
【００３１】
サンプリング管３０は、廃棄物層内に貫入されたケーシング１０内に挿入し、ケーシング１０先端の開口部１４から二重管３１のみを突出させて廃棄物層内に貫入する。この時、本例の如く、ケーシング１０の先端の開口部１４から後端に向かってテーパー領域１５及びテーパー板１６を設けておくことにより、二重管３１の先端がスムーズにケーシング１０の開口部１４に導かれる。また、サンプリング管３０の中心軸とケーシング１０の中心軸が平行になり、二重管３１を廃棄物層内に貫入する際の推進力をサンプリング管３０の軸方向に沿って良好に付与することができる。
【００３２】
尚、サンプリング管３０は、二重管３１をケーシング１０の先端の開口部１４より突出させることができるように、支持管３２をケーシング１０の後端から突出しうる長さに形成しておく。
【００３３】
次に、図１〜図６に示した本発明のサンプリング装置を用いた廃棄物のサンプリング方法について、図７を用いて説明する。尚、図７において、便宜上細かな部材は一部省略している。
【００３４】
先ず、ケーシング１０内に押さえ管２０を挿入し、円柱部材２１の先端によってケーシング１０の先端の開口部１４を塞ぐ。押さえ管２０は後端がケーシング１０の後端より突出するように構成されており、押さえ管２０の後端から押圧して円柱部材２１の先端を開口部１４に向けて押しつけた状態で、押さえ管２０の後端とケーシング１０の後端とを固定して、ケーシング１０の先端を鉛直下方に向けて廃棄物層４０内に貫入する〔図７（ａ）〕。
【００３５】
ケーシング１０の先端が所定の深さに到達した時点でケーシング１０の貫入を停止し、押さえ管２０を引き出し、サンプリング管３０を二重管３１を下方に向けて挿入する〔図７（ｂ）〕。
【００３６】
二重管３１の先端がケーシング１０の先端の開口部１４に到達したら、さらにサンプリング管３０に推進力を付与して、二重管３１を開口部１４から廃棄物層４０内に貫入する。貫入する際に回転力を付与すると、廃棄物の塊を切断する力が働くことにより、廃棄物層をよりそのままの状態で採取することができ、好ましい。これにより、内管３４の先端の開口部３８から廃棄物が内管３４内に導入される〔図７（ｃ）〕。尚、二重管３１は必要な深さ分だけ部分的に突出させればよく、ボルト３５の少し手前まで廃棄物層４０内に貫入するように調整することが望ましい。
【００３７】
所定の長さ分、二重管３１を廃棄物層４０内に貫入させた後、サンプリング管３０をケーシング１０より引き出し〔図７（ｄ）〕、二重管３１を分解して内管３４内に導入された廃棄物４１を取り出す〔図７（ｅ）〕。この時、本発明においては、内管３４が円筒部材３４ａ，３４ｂに二分割されるため、廃棄物４１を内管３４内に導入された円筒状のまま容易に取り出すことができる。
【００３８】
上記したように、本発明においては、ケーシング１０を廃棄物層４０内に貫入した後にサンプリング管３０をケーシング１０内に挿入し、ケーシング１０の先端より下方の廃棄物４１をサンプリングする。従って、サンプリングされる廃棄物は、ケーシング１０の貫入の影響をほとんど受けない。また、サンプリング管３０を引き出す際にも、二重管３１をケーシング１０内に回収してしまえば、その後は引き抜きに多大な力が不要であるため、二重管３１に大きな振動などが加わることがなく、よってサンプリングした廃棄物４１はほとんど影響を受けずに引き出される。よって、所望の深さの廃棄物を廃棄物層４０内の状態を保持したまま得ることができる。
【００３９】
サンプリング工程が終了したら、ケーシング１０を廃棄物層４０内から引き抜いて回収するが、一旦サンプリングした場所でさらに深い位置の廃棄物をサンプリングする場合には、もう一度ケーシング１０内に押さえ管２０を挿入し、開口部１４を円柱部材２１で塞いでさらにケーシング１０を深く貫入し、上記と同じ工程を繰り返してサンプリングすることができる。また、ケーシング１０、押さえ管２０、サンプリング管３０のそれぞれに、後端に連結して用いる延長部材を用意することにより、ケーシング１０の長さよりも深さが大である位置の廃棄物をサンプリングすることも可能である。
【００４０】
本発明においては、上記したように、ケーシング１０の貫入工程の後に、ケーシング１０の先端よりも下方の廃棄物をサンプリング管３０でサンプリングすることから、サンプリングされる廃棄物は、ケーシング１０の貫入の影響を全く受けない。従って、ケーシング１０としては、廃棄物のサンプリングを考慮する必要がなく、貫入に最も適した設計を行うことができる。よって、図１，図２に例示するように貫入を容易にするための羽根１２や掘削爪１３ａ，１３ｂを取り付けたり、従来よりも直径の大きいケーシング１０、内管３４を用いることができ、例えば、内径が１５０ｍｍ程度の太い内管３４を用いることができる。よって、１回のサンプリングで従来よりも広い領域の廃棄物をサンプリングすることができるため、より正確に廃棄物の内容、状態を把握することができる。
【産業上の利用可能性】
【００４１】
本発明は廃棄物処分場などにおいて、安定化処理等を行う場合に、廃棄物層内の廃棄物の内容や状態を把握するために廃棄物を採取する工程において用いられる。
【図面の簡単な説明】
【００４２】
【図１】本発明のサンプリング装置の一実施形態の構成を模式的に示す正面図である。
【図２】図１のサンプリング装置のケーシングの先端の拡大図である。
【図３】図１のサンプリング装置のケーシングの断面図である。
【図４】図１のサンプリング装置のケーシングに押さえ管を挿入した状態の断面図である。
【図５】図１のサンプリング装置のサンプリング管の二重管の構成を示す正面図である。
【図６】図１のサンプリング装置のケーシングにサンプリング管を挿入した状態の断面図である。
【図７】図１のサンプリング装置を用いた本発明のサンプリング方法の工程を示す図である。
【符号の説明】
【００４３】
１０  ケーシング
１２  羽根
１３ａ，１３ｂ  掘削爪
１４  開口部
１５  テーパー領域
１６  テーパー板
１７  リング状部材
２０  押さえ管
２１  円柱部材
２２  本体
３０  サンプリング管
３１  二重管
３２  支持管
３３  外管
３４  内管
３４ａ，３４ｂ  半円筒部材
３５  ボルト
３６ａ，３６ｂ  突起
３７ａ，３７ｂ  平鋼
３８  開口部
４０  廃棄物層
４１  廃棄物
【図１】
2010025789.tif 000003
【図２】
2010025789.tif 000004
【図３】
2010025789.tif 000005
【図４】
2010025789.tif 000006
【図５】
2010025789.tif 000007
【図６】
2010025789.tif 000008
【図７】
2010025789.tif 000009